(57)【要約】      （修正有）【課題】金属アレルギーの人でも安心して耳の装飾が可能となり、かつ、使用感や負担が増すことなく耳たぶへの安定した固定を実現してイヤリングの脱落・紛失を低減できるイヤリングを提供する。【解決手段】使用者の耳たぶを挟持可能に形成されたイヤリング１０において、合成樹脂から成り、全体略Ｕ字状に形成されて使用者の耳たぶを挟持するように湾曲した連結リング部１１と、合成樹脂から成り、連結リング部１１の両端部に設けられて使用者の耳たぶの表側に当接する第一のパッド部１２及び裏側に当接する第二のパッド部１３と、第一のパッド部１２及び第二のパッド部１３が互いに磁力で接合するように構成された磁力部（第一の磁石１４及び第二の磁石１５）とを備えるようにした。【選択図】図１
0003210329.tif 000002
【実用新案登録請求の範囲】
【請求項１】
使用者の耳たぶを挟持可能に形成されたイヤリングにおいて、
合成樹脂から成り、全体略Ｕ字状に形成されて使用者の耳たぶを挟持するように湾曲した連結リング部と、
合成樹脂から成り、前記連結リング部の両端部に設けられて使用者の耳たぶの表側に当接する第一のパッド部及び裏側に当接する第二のパッド部と、
前記第一のパッド部及び第二のパッド部が互いに磁力で接合するように構成された磁力部と、
を備えることを特徴とするイヤリング。
【請求項２】
前記磁力部は、一対の磁石を用いて構成されることを特徴とする請求項１に記載のイヤリング。
【請求項３】
前記第一のパッド部及び第二のパッド部は、いずれも使用者の耳たぶと当接しない外方側に、圧入により前記磁石が装着される開口部を有することを特徴とする請求項２に記載のイヤリング。
【請求項４】
前記磁石は、いずれも円筒形に形成され、
前記第一のパッド部及び第二のパッド部は、前記開口部と同心円状の略円筒形に形成されることを特徴とする請求項３に記載のイヤリング。
【請求項５】
前記合成樹脂は、透明又は半透明のものが選択されることを特徴とする請求項１に記載のイヤリング。
【考案の詳細な説明】
【技術分野】
【０００１】
本考案は、使用者の耳たぶを挟持可能に形成されたイヤリングの改良に関する。
【背景技術】
【０００２】
従来、イヤリングとしては、金属アレルギーの人でも負担なく安心して耳の装飾が可能となるイヤリングを提供することを目的とし、一対の磁石を樹脂製のカバーに収め、このカバーを介した一対の磁石で耳たぶを表側と裏側から挟み込むようにし、これをイヤリングとするものが提案されている（特許文献１）。
【先行技術文献】
【特許文献】
【０００３】
【特許文献１】実用新案登録第３１８２０００号
【考案の概要】
【考案が解決しようとする課題】
【０００４】
しかしながら、このような従来のイヤリングは、耳たぶへの固定が一対の磁石が担っており、イヤリングの挟持力を十分に確保できず、イヤリングが脱落し紛失しやすい。特に装飾を取り付けるなどして重量が増すほど、脱落・紛失しやすい。
【０００５】
イヤリングの安定した固定のために磁石を大きくすると、磁石（非装飾材）が目立つようになり、また、重量の増加により使用感が際立ち負担も増加して好ましくない。また、磁石の拡大に応じて製造のコストも高くなる。
【０００６】
本考案は上記事情に鑑みてなされたもので、金属アレルギーの人でも安心して耳の装飾が可能となり、かつ、使用感や負担が増すことなく耳たぶへの安定した固定を実現してイヤリングの脱落・紛失を低減できるイヤリングを提供することを課題とする。
【課題を解決するための手段】
【０００７】
上述した目的を達成するため、請求項１に記載の考案にあっては、使用者の耳たぶを挟持可能に形成されたイヤリングにおいて、合成樹脂で構成され、全体略Ｕ字状に形成されて使用者の耳たぶを挟持するように湾曲した連結リング部と、合成樹脂で構成され、前記連結リング部の両端部に設けられて使用者の耳たぶの表側に当接する第一のパッド部及び裏側に当接する第二のパッド部と、前記第一のパッド部及び第二のパッド部が互いに磁力で接合するように構成された磁力部と、を備えることを特徴とする。
【０００８】
即ち、第一のパッド部と第二のパッド部が使用者の耳たぶを介して互いに磁力で引き合い、両パッドにより耳たぶが挟持されてイヤリングが耳たぶに固定され、第一の固定作用を奏する。
【０００９】
また、第一のパッド部と第二のパッド部は、いずれも全体略Ｕ字状に形成され、耳たぶを挟持するように湾曲した連結リング部の端部に設けられており、この連結リング部は合成樹脂で構成されている。
【００１０】
従って、第一のパッド部及び第二のパッド部により耳たぶが挟持された状態で、連結リング部はＵ字状の状態からやや広がる方向に変形する。結果、第一のパッド部と第二のパッド部は、連結リング部の変形の復元力を受けて、耳たぶの表側及び裏側に押し当てられ、第二の固定作用を奏する。
【００１１】
請求項２に記載の考案にあっては、請求項１の構成に加えて、前記磁力部は、一対の磁石を用いて構成されることを特徴とする。例えば、磁石は、ネオジム、等方性フェライト、異方性フェライト、サマリウム、コバルト、アルニコなどから選択される。
【００１２】
請求項３に記載の考案にあっては、請求項２の構成に加えて、前記第一のパッド部及び第二のパッド部は、いずれも使用者の耳たぶと当接しない外方側に、圧入により前記磁石が装着される開口部を有することを特徴とする。
【００１３】
第一のパッド部及び第二のパッド部への磁石の装着は、各パッド部の開口部への圧入のみにより行われることから、接着材やその他の取付け構造は不要となる。
【００１４】
請求項４に記載の考案にあっては、請求項３の構成に加えて、前記磁石は、いずれも円筒形に形成され、前記第一のパッド部及び第二のパッド部は、前記開口部と同心円状の略円筒形に形成されることを特徴とする。
【００１５】
磁石は、円筒形（断面円形）に形成されており、軸回転方向に角部（凹凸）が形成されていない。その結果、磁石の開口部への圧入に際し、磁石の軸回転方向の位置決めが不要となる。
【００１６】
同様に、第一のパッド部及び第二のパッド部は、開口部と同心円状の略円筒形に形成されており、軸回転方向に角部（凹凸）が形成されていない。
【００１７】
請求項５に記載の考案にあっては、前記合成樹脂は、透明又は半透明のものが選択されることを特徴とする。
【００１８】
従って、イヤリングを構成する第一のパッド部及び第二のパッド部並びに連結リング部が視認され難い。例えば、イヤリングの各要素のうち、磁力部を除くすべての部分が視認され難い。
【考案の効果】
【００１９】
請求項１又は請求項２に記載の考案にあっては、上述の第一の固定作用によりイヤリングが使用者の耳たぶに固定されるとともに、使用者の耳たぶに当接する第一のパッド部及び第二のパッド部が合成樹脂で構成されているため、金属アレルギーの人でも安心して耳の装飾が可能となる。
【００２０】
加えて、本考案に係るイヤリングは、上述した第二の固定作用を有し、従来のイヤリングと比べて耳たぶへの安定した固定が可能になる。即ち、上述した第一の固定作用と第二の固定作用により、磁力部（例えば磁石）を大型化することによる使用感や負担を抑えつつ、イヤリングの固定の安定性を高めることができる。
【００２１】
また、従来のイヤリングにあっては、使用者がイヤリングを耳たぶから取り外す際に一対の磁石を同時に且つ確実に摘まんでいなければ片方の磁石が脱落してしまい紛失のおそれがある。
これに対して、本考案に係るイヤリングにあっては、第一のパッド部及び第二のパッド部は、第二の固定作用を与える連結リング部により互いに連結されており、各パッド部を同時に摘まんでいなくても当該脱落・紛失のおそれがない。
【００２２】
更に、本考案に係るイヤリングにあっては、各パッド部及び連結リング部が合成樹脂製で軽量であるため、イヤリングの使用中の脱落・紛失も低減する。
【００２３】
即ち、本考案に係るイヤリングによれば、金属アレルギーの人でも安心して耳の装飾が可能となり、かつ、使用感や負担が増すことなく耳たぶへの安定した固定が実現され、イヤリングの脱落・紛失が低減する。
【００２４】
請求項３に記載の考案にあっては、第一のパッド部及び第二のパッド部への磁石の装着に際して接着材やその他の取付け構造を必要としない。従って、優れた製造容易性とコスト低減を実現しつつ、安定した固定が可能なイヤリングが実現する。
【００２５】
また、磁石が圧入される開口部は、第一のパッド部及び第二のパッド部のうち耳たぶと当接しない外方側に設定されているので、イヤリングの取り付け又は取り外しの場合における各パッド部の互いの引き離しの際に各パッド部に装着された磁石が当該開口部から抜け出ることがない。
【００２６】
更に、第一のパッド部及び第二のパッド部の開口部は、例えば、圧入により装飾を取り付けるための開口部として利用することもできる。
【００２７】
請求項４に記載の考案にあっては、磁石の上記開口部への圧入に際して磁石の軸回転方向の位置決めが不要であるため、容易にイヤリングを製造することができる。
【００２８】
また、第一のパッド部及び第二のパッド部は、円筒状で軸回転方向に角部を持たないので、磁力（第一の固定作用）と連結リングの復元力（第二の固定作用）とで各パッド部を耳にしっかり押し当てたときも使用者の耳たぶが傷つきにくくなる。更に、各パッド部が開口部と同心円状の略円筒形に形成されるので、樹脂材料が効率よく使用され製造容易性とコスト低減性に優れる。
【００２９】
請求項５に記載の考案にあっては、イヤリングの磁力部を除く全体が視認され難く、ピアスのようなファッションの新奇性を奏することから、イヤリングとしての高い外観品質を確保することができる。
【図面の簡単な説明】
【００３０】
【図１】本考案に係るイヤリングの一実施形態を示す側面図である。
【図２】図１のイヤリングの平面図である。
【図３】図１のイヤリングの使用時の状態を示す図である。
【考案を実施するための形態】
【００３１】
添付図面を参照して、本考案の実施形態を説明する。
本実施形態のイヤリングは、使用者の耳たぶを挟持可能に形成され耳たぶに固定される装飾具である。
図１に示すように、本実施形態のイヤリング１０は、全体略Ｕ字状に形成された連結リング部１１、連結リング部１１の両端部に設けられた第一のパッド部１２及び第二のパッド部１３、各パッド部１２、１３に装着された第一の磁石１４及び第二の磁石１５を備えている。
【００３２】
イヤリング１０の連結リング部１１及びパッド部１２、１３は、略透明に設定されたポリカーボネイト（ＰＣ）で構成され、可塑化温度まで加熱し溶融したポリカーボネイトを型枠に流し込むことで一体的に成形されている。
【００３３】
ポリカーボネイトは、透明性、寸法安定性、耐久性に優れた熱可塑性の樹脂であるため、イヤリングの材料として好適である。繰り返しの変形に耐え、また、透明度も高く目立たない使用感を作り出すことも可能である。
尚、ポリカーボネイトの流し込みポイント（図示省略）は、イヤリング１０の取り付け又は取り外しの際の変形が比較的に少ない第一のパッド部１２に設けるのが好ましい。
【００３４】
[連結リング部]
連結リング部１１は、図１に示すように、全体略Ｕ字状に形成されており、使用者の耳たぶを挟持するように湾曲した分断リング状である。
連結リング部１１は、その内方の中心点Ｐからの距離が等しい円形輪状の連結リング本体部１６と、連結リング本体部１６の各端部に設けられてパッド部１２、１３の台座となり、パッド部１２、１３と一体的に形成された連結リングネック部１７、１８を有している。
連結リング本体部１６の断面径は、０．９ミリメートルに設定されている。
【００３５】
第一の連結リングネック部１７は、イヤリング１０の耳たぶへの取り付け固定時（図３参照）に、耳たぶの表側であり使用者の頭部正面側に位置する。
この第一の連結リングネック部１７は、耳たぶの厚み方向に広がりを持たせて形成されており、イヤリング１０の着脱時に第一の連結リングネック部１７近傍に作用する応力負荷に耐えられるよう形状・寸法が設定されている。
【００３６】
[パッド部]
第一のパッド部１２及び第二のパッド部１３は、図１に示すように、それぞれ連結リング部１１の第一の連結リングネック部１７及び第二の連結リングネック部１８と一体的に形成されている。第一のパッド部１２及び第二のパッド部１３との間隙Ｌ１は、非装着時において一般の成人の耳たぶの平均的な厚み寸法よりも小さくなるように配置設計されている。
【００３７】
図３は図１のイヤリングの使用時の状態を示す図である。
第一のパッド部１２は、図３に示すように、イヤリング１０の耳たぶ３０への取り付け固定時に使用者の耳たぶ３０の表側に当接し、同時に第二のパッド部１３は耳たぶ３０の裏側に当接し、第一のパッド部１２及び第二のパッド部１３を耳たぶの表側及び裏側から互いに圧着することにより耳たぶを挟持する。
【００３８】
第一のパッド部１２は、耳たぶ３０と当接しない外方側であって、イヤリング１０の耳たぶ３０への取り付け固定時に使用者の頭部正面側となる部分に開口を有し、図１に示すように第一の磁石１４が方向Ｄ１に向かって押しこまれ圧入される第一の開口部１９を有している。
【００３９】
同様に、第二のパッド部１３は、耳たぶ３０と当接しない外方側であって使用者の頭部背面側に開口を有し、第二の磁石１５が方向Ｄ２に向かって押しこまれ圧入される第二の開口部２０を有している。
【００４０】
第一のパッド部１２及び第二のパッド部１３における耳たぶ３０（図３）と当接する部分の厚みＬは、０．２ミリメートルであり、第一の磁石１４及び第二の磁石１５の磁力を妨げないよう厚み寸法が設定されている。
【００４１】
図１及び図２に示すように、第一のパッド部１２及び第二のパッド部１３は、第一の開口部１９及び第二の開口部２０と同心円状の概略円筒形に形成されている。
【００４２】
また、図１及び図２に示すように、第一のパッド部１２の直径は、第二のパッド部１３の直径よりも小さく設定され、第一のパッド部１２の耳たぶ厚み方向である軸方向長は、第二のパッド部１３の軸方向長よりも長く設定されている。
【００４３】
寸法に関しては、第一のパッド部１２の軸方向長は３．７ミリメートル、第二のパッド部１３の軸方向長は２．４ミリメートルである。また、第一のパッド部１２の直径は３．４ミリメートル、第二のパッド部１３の直径は４．４ミリメートルである。
【００４４】
また、第一のパッド部１２及び第二のパッド部１３の外周面には周方向に沿って配された第一のリブ部１２ａ及び第二のリブ部１３ａが設けられ、各パッド部１２、１３は部分的に肉厚に構成されている。各リブ部１２ａ、１３ａは、イヤリング１０を取り外す際の指先の滑り止めの機能と、磁石１３、１４を圧入する際のパッド部１２、１３の破れ防止の機能とを併せ持っている。
【００４５】
[磁力部]
第一の磁石１４及び第二の磁石１５は、イヤリング１０の磁力部を担うものであり、上述のように第一の開口部１９及び第二の開口部２０に圧入により装着される。即ち、第一のパッド部１２及び第二のパッド部１３は、互いに磁力で接合するように構成されている。
【００４６】
第一の磁石１４及び第二の磁石１５は、いずれもネオジム磁石であって表面が磁性金属のニッケルで被覆され、磁力を維持しつつ防錆処理が施されている。
【００４７】
一対の磁石１４、１５は、体積計算により決定されており、互いに異なる寸法で構成されている。寸法について、第一の磁石１４の直径は２ミリメートル、その軸方向長も同じく２ミリメートルである。向かい合う他方の第二の磁石１５の直径は３ミリメートル、その軸方向長は２ミリメートルである。
【００４８】
第一の磁石１４、第一のパッド部１２、及び第一の開口部１９の３つの各要素は、同心円状の略円筒状に形成されており、同様に、第二の磁石１５、第二のパッド部１３、及び第二の開口部２０の３つの各要素も同心円状の円筒状に形成されている。
【００４９】
第一の磁石１４は、第一のパッド部１２に設けられた第一の開口部１９よりも軸方向長が短寸法であり、第一の磁石１４が圧入装着された状態で第一の開口部１９には当該第一の磁石１４で満たされない中空部２１が生じる。
【００５０】
第一の開口部１９の中空部２１には、装飾が取り付けられる装飾取付台２２が圧入により装着される。装飾取付台２２は、第一の開口部１９からはみ出した部分にフランジ部２２ａが設けられて縦断面Ｔ字型に形成されている。
【００５１】
装飾取付台２２を第一の開口部１９に圧入により押し込んでも、装飾取付台２２のフランジ部２２ａが第一の開口部１９の縁に当接して引っ掛かる。即ち、装飾取付台２２は、交換が可能なように、第一の開口部１９の内方に完全には埋没しないようになっている。
【００５２】
次に作用を説明する。
図１に示すように、本実施形態のイヤリング１０は、使用者の耳たぶを挟持可能に形成されており、合成樹脂から成り、全体略Ｕ字状に形成されて使用者の耳たぶを挟持するように湾曲した連結リング部１１を備えている。
【００５３】
また、イヤリング１０は、合成樹脂から成り、連結リング部１１の両端部である連結リングネック部１７、１８に設けられて使用者の耳たぶの表側に当接する第一のパッド部１２及び裏側に当接する第二のパッド部１３と、第一のパッド部１２及び第二のパッド部１３が互いに磁力で接合するように構成された磁力部としての第一の磁石１４及び第二の磁石１５とを備えている。
【００５４】
このイヤリング１０を耳たぶに取り付ける場合は、磁力で例えば互いに接合した状態となっている第一のパッド部１２及び第二のパッド部１３を指で摘み引き離し、連結リング部１１を耳たぶ厚み方向に一旦広げ、耳たぶにて位置決め後に指を離す。図３は、使用者の耳たぶ３０にイヤリング１０が取り付け固定された状態を示している。
【００５５】
イヤリング１０が耳たぶ３０に固定されると、図３に示すように、第一のパッド部１２と第二のパッド部１３が使用者の耳たぶ３０を介して互いに磁力で引き合うようになる。従って、各パッド部１２、１３により耳たぶ３０が挟持されてイヤリング１０が耳たぶ３０に固定され、第一の固定作用を奏する。
【００５６】
耳たぶ３０に当接する第一のパッド部１２及び第二のパッド部１３は、合成樹脂で構成されているので、金属アレルギーの人でも安心して耳の装飾が可能となる。
【００５７】
また、第一のパッド部１２と第二のパッド部１３は、いずれも全体略Ｕ字状に形成され、耳たぶ３０を挟持するように湾曲した連結リング部１１の連結リングネック部１７、１８に設けられており、連結リング部１１の全体が合成樹脂で構成されている。
【００５８】
従って、第一のパッド部１２及び第二のパッド部１３が互いに離間する方向へ拡開されて耳たぶに当接されると、連結リング部１１に応力が作用して当該連結リング部１１はＵ字状の状態からやや広がる方向に変形する。その結果、第一のパッド部１２と第二のパッド部１３は、図３に示すように、連結リング部１１の変形の復元力Ｆを受けて、耳たぶ３０の表側及び裏側に押し当てられ、第二の固定作用を奏する。
【００５９】
即ち、本実施形態に係るイヤリング１０にあっては、第一の固定作用に加えて第二の固定作用が作用し、従来のイヤリングと比べて耳たぶへの安定した固定が可能になる。従って、磁石１４、１５を大型化することによる使用感や負担を抑えつつ、イヤリングの固定の安定性を高めることができる。
【００６０】
また、従来のイヤリングにあっては、使用者がイヤリングを耳たぶから取り外す際に一対の磁石を同時に且つ確実に摘まんでいなければ片方の磁石が脱落してしまい紛失のおそれがある。
これに対して、本実施形態に係るイヤリング１０にあっては、第一のパッド部１２及び第二のパッド部１３は、第二の固定作用を与える連結リング部１１により互いに連結されており、各パッド部１２、１３を同時に摘まんでいなくても当該脱落・紛失のおそれがない。
【００６１】
更には、本実施形態に係るイヤリング１０の各パッド部１２、１３及び連結リング部１１が合成樹脂製で軽量であるため、イヤリング１０の使用中の脱落・紛失も低減する。
【００６２】
即ち、本実施形態に係るイヤリング１０によれば、金属アレルギーの人でも安心して耳の装飾が可能となり、かつ、使用感や負担が増すことなく耳たぶへの安定した固定が実現され、イヤリング１０の脱落・紛失が低減する。
【００６３】
以上、本考案に係るイヤリングを１つの実施形態に基づき説明してきたが、具体的な構成については、本実施形態に限られるものではなく、実用新案登録請求の範囲に記載の考案の要旨を逸脱しない限り変更や追加等は許容される。
例えば、イヤリング１０を構成する樹脂は、ポリカーボネイトに限らず、熱可塑性を有するその他の樹脂で構成してもよい。また、樹脂の色は、透明にかぎらず、半透明や有色でもよい。
【符号の説明】
【００６４】
１０   イヤリング
１１   連結リング部
１２   第一のパッド部
１２ａ 第一のパッド部のリブ部
１３   第二のパッド部
１３ａ 第二のパッド部のリブ部
１４   第一の磁石
１５   第二の磁石
１６   連結リング本体部
１７   第一の連結リングネック部
１８   第二の連結リングネック部
１９   第一の開口部
２０   第二の開口部
２１   残存中空部
２２   装飾取付台
２２ａ 装飾取付台のフランジ部
３０   耳たぶ
Ｄ１   第一の磁石の圧入方向
Ｄ２   第二の磁石の圧入方向
Ｆ     連結リング部の復元力
Ｌ１   第一のパッド部と第二のパッド部の離間距離
【図１】
0003210329.tif 000003
【図２】
0003210329.tif 000004
【図３】
0003210329.tif 000005